(57)【要約】【課題】照明器具の器具本体を被取付部に取り付ける際に、ネジ止め作業が必要無く、取付作業を容易に行うことができる照明器具を提供する。【解決手段】光源部４１と、光源部４１に給電する電源部３１と、光源部４１と電源部３１とが収容される器具本体２１と、被取付部Ｃに固定され、器具本体２１を回動して取付可能な取付部材９１と、を備え、器具本体２１は、内側に係止部２２ｂを有し、取付部材９１は、係止部２２ｂに係止される被係止部９４を有し、取付部材９１に対して器具本体２１を回動させることで、係止部２２ｂが被係止部９４に案内されるとともに係止され、取付部材９１は、外周縁近傍に当該外周縁から外側に向かって押圧するバネ部９６を有し、器具本体２１は、その内側に向かって突出する突条部２２ｄを有し、取付部材９１に対して器具本体２１を回動させることで、前記バネ部９６の先端部９６ａが突条部２２ｄに当接しながら乗り越える。【選択図】図６
2020187829.tif 000002
【特許請求の範囲】
【請求項１】
複数のＬＥＤを有する光源部と、
前記光源部に給電する電源部と、
前記光源部と前記電源部とが収容される器具本体と、
被取付部に固定され、前記器具本体を回動して取付可能な取付部材と、を備え、
前記器具本体は、内側に係止部を有し、
前記取付部材は、外周縁に前記係止部に係止される被係止部を有し、
前記取付部材に対して前記器具本体を回動させることで、前記係止部が前記被係止部に案内されるとともに係止され、
前記取付部材は、外周縁近傍に当該外周縁から外側に向かって押圧するバネ部を有し、
前記器具本体は、その内側に向かって突出する突条部を有し、
前記取付部材に対して前記器具本体を回動させることで、前記バネ部の突出部が前記突条部に当接しながら乗り越える、照明器具。
【請求項２】
前記突条部は、前記被取付部に平行な断面において前記器具本体を回動させる方向に向かうにつれて器具本体の内側面から器具本体の内側に向かうように傾斜する傾斜面を有する、請求項１に記載の照明器具。
【請求項３】
前記被係止部は、前記器具本体を回動させる方向に向かうにつれて被取付部側に向かうように傾斜する傾斜面を有する、請求項１または請求項２に記載の照明器具。
【発明の詳細な説明】
【技術分野】
【０００１】
本発明は、照明器具に関する。
【背景技術】
【０００２】
従来から特許文献１に記載された照明器具（シーリングライト）が用いられている。特許文献１では、薄型で小型の天井直付け型照明器具が開示されている。この照明器具は、天井面等の被取付部に取り付けた取付板２にＬＥＤランプ本体１を取り付けることによって、被取付部に取り付けられる。
【０００３】
特許文献１における照明器具は、まず被取付部に取付板２をネジ止めする。次に、ＬＥＤランプ本体１の基板支持部材５０の装着面部５０ｄと取付板２の装着面部２ｄを合わせ、ネジ穴５０ｆ、２ｆを通してネジ３で止着した後、筐体１０を装着する。
【先行技術文献】
【特許文献】
【０００４】
【特許文献１】特開２０１５−９５４５２号公報
【発明の概要】
【発明が解決しようとする課題】
【０００５】
しかしながら、特許文献１の照明器具のような構造の場合、取付板を被取付部にネジ止めした後、さらにランプ本体をネジによって止着するため、取付作業が煩雑である。そのため、照明器具を被取付部に取り付ける際に、ネジ止め作業が少なく、取付作業を容易に行うことができる照明器具が求められている。
【０００６】
そこで、本発明は、上記課題に鑑みてなされたものであり、照明器具を被取付部に取り付ける際に、ネジ止め作業が少なく、取付作業を容易に行うことができる照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
複数のＬＥＤを有する光源部と、
前記光源部に給電する電源部と、
前記光源部と前記電源部とが収容される器具本体と、
被取付部に固定され、前記器具本体を回動して取付可能な取付部材と、を備え、
前記器具本体は、内側に係止部を有し、
前記取付部材は、外周縁に前記係止部に係止される被係止部を有し、
前記取付部材に対して前記器具本体を回動させることで、前記係止部が前記被係止部に案内されるとともに係止され、
前記取付部材は、外周縁近傍に当該外周縁から外側に向かって押圧するバネ部を有し、
前記器具本体は、その内側に向かって突出する突条部を有し、
前記取付部材に対して前記器具本体を回動させることで、前記バネ部の突出部が前記突条部に当接しながら乗り越えるものである。
【０００９】
本願に開示する照明器具において、
前記突条部は、前記被取付部に平行な断面において前記器具本体を回動させる方向に向かうにつれて器具本体の内側面から器具本体の内側に向かうように傾斜する傾斜面を有することが好ましい。
【００１０】
本願に開示する照明器具において、
前記被係止部は、前記器具本体を回動させる方向に向かうにつれて取付面側に向かうように傾斜する傾斜面を有することが好ましい。
【発明の効果】
【００１１】
本発明によれば、照明器具を被取付部に取り付ける際に、ネジ止め作業が少なく、取付作業を容易に行うことができる照明器具を提供することができる。
【図面の簡単な説明】
【００１２】
【図１】本発明の一実施形態に係る照明器具を示す斜視図。
【図２】同じく照明器具を示す断面図。
【図３】同じく照明器具を斜め上方から見た分解斜視図。
【図４】同じく照明器具を斜め下方から見た分解斜視図。
【図５】導光部材により導光する状態を示す断面図。
【図６】同じく照明器具を示す斜視図。
【図７】取付部材の弾性係合部を示す図。
【図８】同じく照明器具の器具本体を取付部材に取り付ける際の係止部２２ｂの移動の様子を示す模式図。
【発明を実施するための形態】
【００１３】
本発明の一実施形態に係る照明器具１１について、図１から図８を用いて説明する。本実施形態に係る照明器具１１は、ＬＥＤ素子４２を光源とする照明器具である。照明器具１１は、例えば天井面等の被取付部Ｃに直接取り付けられる直付け型のシーリングライトとして使用することが可能である。なお、照明器具１１は、天井面に限らず、壁面（傾斜面も含む）に取り付けてブラケットライトとして使用することも可能である。以下の説明では、照明器具１１の光を照射する側を照明器具１１の照射面側とし、照明器具１１における被取付部Ｃに対向する側を照明器具１１の取付面側（照射面側の反対側）として説明する。また、照明器具１１の取付面側とは、照明器具１１の背面側（裏面側）である。また、図２等に示す照明器具１１が被取付部Ｃに取付けられた状態において、被取付部Ｃに直交する方向を照明器具１１の上下方向とした場合、照明器具１１の取付面側を上方とし、照明器具１１の照射面側の直下方向を下方として説明する。照明器具１１の上下方向に対して直交する方向を照明器具１１の側方として説明する。また、以下の説明において、下方から照明器具１１等を視た状態を平面視とする。上下方向に対して直交方向から照明器具１１等を視た状態を側面視とする。照明器具１１等の断面形状を視た状態を断面視とする。
【００１４】
照明器具１１は、器具本体２１、電源部３１、光源部（ＬＥＤモジュール）４１、導光部材５１、第１反射部材である反射部材６１、第２反射部材である環状反射部材７１、光源セット部８１、取付部材９１、端子台１００を主に備える。照明器具１１の外形は、平面視において略円形状であって、照明器具１１の高さ方向（図２の照明器具１１の上下方向）の寸法が、照明器具１１の径方向（図２の照明器具１１の上下方向に対して直交方向）の寸法よりも小さく薄型で扁平な略円柱形状である。
なお、照明器具１１の外形形状は、本実施形態に限定されるものではない。照明器具１１の外形形状は、平面視において略円形状以外に、例えば、楕円形状、正方形状、長方形状、多角形状や扇形、またはそれらを組み合わせた形状にすることもできる。
【００１５】
器具本体２１は、電源部３１、光源部（ＬＥＤモジュール）４１、導光部材５１、反射部材６１、環状反射部材７１、光源セット部８１、端子台１００を保持するともに取付部材９１に取り付けられる部材である。器具本体２１は、導光部材５１を露出するための開口を下側に有するとともに上端が開放された略円筒状部材である。器具本体２１には、電源部３１、光源部４１、導光部材５１、反射部材６１、環状反射部材７１、光源セット部８１、端子台１００が収容される。器具本体２１は、円筒部２２と、円筒部２２の下端部から径方向内側に延出される円環状の内縁部２３と、を有している。器具本体２１は、熱伝導率の高い、例えば金属素材で構成される。本実施形態では一例として器具本体２１をアルミニウム合金で構成し、電源部３１および光源部４１から生ずる熱を放熱することができる。器具本体２１は、その最大内径寸法が取付部材９１の外径寸法よりも大きく、取付部材９１の照射面側に取り付け可能である。器具本体２１は、円筒部２２の内周面に側面視四角形状で凸状の複数（本実施形態では３つ）の位置決め部２２ａと、各位置決め部２２ａに対応して円筒部２２の上端部に設けられる側面視略長方形状で凸状の複数（本実施形態では３つ）の係止部２２ｂと、各位置決め部２２ａに対応して円筒部２２の下端部に設けられる側面視略長方形状で凸状の複数（本実施形態では３つ）の下端凸部２２ｃと、を有している。位置決め部２２ａ、係止部２２ｂ及び下端凸部２２ｃは、円筒部２２の内周面において周方向に沿って略等間隔で形成されている。位置決め部２２ａの上端部は、取付部材９１に器具本体２１を取り付ける際に、取付部材９１の被係止部９４（案内部９４ｂ）の下端部の位置を規制するものである。位置決め部２２ａの下端部は、器具本体２１に光源セット部８１を取り付ける際に、光源セット部８１（光源部４１）の上端部の位置を規制するものである。これにより、光源セット部８１（光源部４１）を器具本体２１の底部の所定の位置に保持することができる。
【００１６】
器具本体２１の内縁部２３は、導光部材５１の照射面側の外周縁部と対向する。内縁部２３は、平面視においてＬＥＤ素子４２の径方向内側の縁部と重なる反射部２３ａを有している。反射部２３ａは、器具本体２１に環状反射部材７１を組付けた際に、環状反射部材７１の内周縁よりも径方向内側に延出される部分である。具体的には、反射部２３ａは、取付面側に反射面を有し、ＬＥＤ素子４２から出射して導光部材５１を透過した光を反射する部分である。また、反射部２３ａは、ＬＥＤ素子４２の少なくとも一部と重なるように配置されることで、ＬＥＤ素子４２が発する光の直接光を遮るため、ユーザーの目に直接ＬＥＤ素子４２が発する光が達することを抑えることできる。これにより、照明光のムラを抑えるとともに、グレアを軽減した照明光を得ることができる。反射部２３ａは、導光部材５１を器具本体２１内に配置された環状反射部材７１に組み付けた際に、導光部材５１の照射面側の外周縁部に当接または近接する部分である。
なお、本実施形態では、反射部２３ａは、内縁部２３と一体的な部材として構成しているが、例えば、反射部を別部材として構成し、内縁部に連設してもよい。
また、反射部２３ａには、例えば必要に応じて、周方向に沿って溝部を設けて、この溝部に沿って円環状のパッキンを配置してもよい。パッキンは、器具本体２１（反射部２３ａ）と導光部材５１の隙間を覆うためのものであり、水滴や埃等が照明器具１１の内部への侵入することを防ぐ、いわゆる気密パッキンとして作用する。
【００１７】
位置決め部２２ａの１つには、位置決め部２２ａの表面から径方向内側に突出するネジ固定部２４が設けられている。ネジ固定部２４は、電源カバー３３のネジ取付部３３ｂと光源セット部８１のカバー取付部８４とをネジ等の取付部材により共締めするための部分である。
【００１８】
円筒部２２の内周面には、上下方向に平行に並ぶ２列の突条部２２ｄ・２２ｄが設けられている。突条部２２ｄは、径方向内側に向かって突出する部分である。突条部２２ｄは、上面視において略三角形状であり、傾斜角度が異なる第１傾斜面２２ｄ１と、第２傾斜面２２ｄ２を有している（図７参照）。第１傾斜面２２ｄ１は、被取付部Ｃに平行な断面において器具本体２１を回動させる方向に向かうにつれて器具本体２１の径方向内側に向かうように傾斜する傾斜面である。第１傾斜面２２ｄ１は、傾斜角度が相対的に小さくて勾配が相対的に緩やかな緩斜面(例えば円筒部２２の内周面に対して１０〜３０度の斜面)である。第２傾斜面２２ｄ２は、傾斜角度が相対的に大きくて勾配が相対的に急な急斜面(例えば円筒部２２の内周面に対して６０〜８５度の斜面)である。突条部２２ｄは、円筒部２２の下端部から上下方向に沿って円筒部２２の上端近傍まで延設される。突条部２２ｄは、器具本体２１を取付部材９１に取り付ける際に、後述する器具本体２１の弾性係合部９５が係合される被係合部分である。
なお、本実施形態では、突条部２２ｄを２列設けているが、１列もしくは３列以上であってもよい。また、本実施形態では、２列の突条部２２ｄ・２２ｄを同形状に形成したが、異なる形状に形成してもよい。例えば、一方の突条部２２ｄを他方の突条部２２ｄよりも内周面側に突出する寸法を大きく形成してもよい。器具本体２１を取付部材９１に取り付ける際に、弾性係合部９５が最初に乗り越える突条部２２ｄの内周面側に突出する寸法を大きく形成させることで、他方の突条部２２ｄよりも弾性係合部９５が乗り越えにくくすることができる。器具本体２１を取り付ける際に最初に乗り越える突条部２２ｄを乗り越えにくくさせることで、その後に乗り越える突条部２２ｄは最初の突条部２２ｄよりも少ない力で弾性係合部９５を乗り越えさせられることができる。これにより、弾性係合部９５が一方の突条部２２ｄのみ乗り越えた状態の取り付け不良を抑止することができる。
【００１９】
詳細は後述するが、器具本体２１は、内部の清掃や器具本体２１の部品交換等のために、取付部材９１に対して着脱できる構造となっている。
また、器具本体２１の材質としては、アルミニウム合金以外であってもよく、例えばアルミニウム合金以外の金属素材、樹脂など必要に応じて適宜素材を選択することもできる。
【００２０】
電源部３１は、光源部４１が有するＬＥＤ素子４２に給電を行って、ＬＥＤ素子４２を点灯させるための電源装置である。電源部３１は、器具本体２１における光源部４１よりも上方（取付面側）に配置されている。電源部３１は、電源回路部３２と、該電源回路部３２を覆う電源カバー３３を有している。電源回路部３２は、直方体形状のケース部３２ａと、ケース部３２ａの内部に配置され、所定形状に加工されたプリント配線基板上に複数の電子部品が実装された電源回路３２ｂを有している。電源カバー３３は、平面視略半円形状の金属製の板状部材である。電源カバー３３は、平面視において電源回路部３２に重なるように配置されている。電源カバー３３は、係止片３３ａと、円弧形状の外周縁側にネジ孔を備えたネジ取付部３３ｂを有している。係止片３３ａは、光源セット部８１のカバー係止部８３に係止される。ネジ取付部３３ｂは、光源セット部８１のカバー取付部８４を介して器具本体２１のネジ固定部２４にネジ等の取付部材により共締めされる。電源部３１は、外部商用電源から供給される交流電流を所定の直流電流に変換し、変換後の電流を基板４３に実装された複数のＬＥＤ素子４２に供給するためのものである。
【００２１】
電源部３１は、配線（図示せず）を介して端子台１００に電気的に接続されている。例えば、照明器具１１を被取付部Ｃに取り付ける際、天井裏側の外部商用電源の電源電線（図示せず）を端子台１００に接続することで、電源部３１は外部商用電源と電気的に接続される。電源部３１と光源部４１は配線３７によって電気的に接続されている。
なお、本実施形態では、端子台１００を使用しているが、特に限定するものではない。例えば、端子台１００を使用する代わりに、コネクタ等の接続部品を使用する構成とすることもできる。
【００２２】
光源部４１は、照明器具１１の照射面側に向けて光を出射する部分である。光源部４１は、光源である発光素子を有する光源モジュールである。本実施形態においては、発光素子として、基板４３上に複数の光源であるＬＥＤ（Ｌｉｇｈｔ  ｅｍｉｔｔｉｎｇ  ｄｉｏｄｅ）素子４２が表面実装されたＬＥＤ光源モジュールを使用している。具体的には、ＬＥＤ光源モジュールは、略円板状に加工された基板４３表面に、複数のＬＥＤ素子４２が周方向に等間隔に配列されたモジュールである。複数のＬＥＤ素子４２は、基板４３の外周縁の近傍に円環状の素子列として実装されている。光源部４１は、基板４３上に給電素子４４を有している。給電素子４４は、複数のＬＥＤ素子４２のうち二つのＬＥＤ素子４２の間に配置される。これにより、給電素子４４を配置するスペースを基板４３上に別途設ける必要がなく、基板４３をコンパクトにすることができる。光源部４１は、光源セット部８１の照射面側に配置される。複数のＬＥＤ素子４２は、導光部材５１の取付面側の外周端近傍に対向するように配置される。ＬＥＤ光源モジュールは、配線３７によって電源部３１と電気的に接続されている。ＬＥＤ光源モジュールは、基板４３の実装面の裏面が光源セット部８１の光源配置面８２に当接して配置されるため、ＬＥＤ光源モジュールが発熱した際には、ＬＥＤ光源モジュールの熱が光源セット部８１に伝わる。光源セット部８１に伝わった熱は、光源セット部８１の取付面側の周辺温度が光源セット部８１の温度よりも低い場合、光源セット部８１の取付面側の周辺の空気へ伝わる。また、光源セット部８１に伝わった熱の一部は、器具本体２１に伝わり、器具本体２１の周辺温度が器具本体２１の温度よりも低い場合、器具本体２１の周辺の空気へ伝わる。これにより、光源セット部８１に伝わった熱は、光源セット部８１や器具本体２１の周囲に放熱される。
【００２３】
なお、本実施形態では、光源として表面実装型のＬＥＤ素子４２を用いたが、光源の種類はＬＥＤ素子に限定されず、例えばＣＯＢ型発光モジュールや有機ＥＬ素子（ＯＬＥＤ）などを用いても実現可能である。
また、基板４３は、熱伝導性シート（図示せず）や放熱グリスを介して光源セット部８１の光源配置面８２に取り付けてもよく、これにより、より高い放熱性を得ることもできる。
【００２４】
導光部材５１は、少なくとも光源部４１の照射面側を覆うように器具本体２１に取り付けられ、光源部４１（ＬＥＤ素子４２）から出射された光を反射及び拡散させつつ導光し、導光部材５１の外部へ出射される光を配光制御する透光性部材である。導光部材５１の外周縁は、平面視において円環状に実装された複数のＬＥＤ素子４２と重なるように配置される。導光部材５１は、光源部４１（ＬＥＤ素子４２）から出射された光を導光して、面発光として導光部材５１の外部に出射可能である。導光部材５１は、円板状の部材である。導光部材５１は、透光性を有する樹脂素材で形成されている。導光部材５１は、拡散処理がなされている。本実施形態の導光部材５１においては、器具本体２１の開口から露出する照射面側の表面に対し、ドットパターンで白色（半透光性）のシルク印刷にて印刷層を形成させた。導光部材５１は、ドットパターンの印刷層を形成したものに限らず、例えば、ドットパターン以外の印刷層を形成したもの、微細な凹凸を表面に形成したシボ加工（フロスト加工）を施したもの、内部に拡散剤を混入させたもの、拡散反射シートを貼り付けたもので構成することもできる。また、導光部材５１の照射面側に拡散部材を別途設けてもよい。導光部材５１は、テーパ部５２と、照射面側に突出する凸部５３と、凸部５３の反対側の面に凹部５４とを有している。テーパ部５２は、導光部材５１の外周縁部から下方に向かうにつれて縮径するテーパ状の部分である。凸部５３は、テーパ部５２における光源部４１の給電素子４４に対応する位置で当該テーパ部５２から径方向外側に向けて突出する部分である。凸部５３は、環状反射部材７１の切欠き部７４に係合可能であり、環状反射部材７１に導光部材５１を取り付ける際に、導光部材５１の位置決めをすることができる。導光部材５１は、その外径寸法が環状反射部材７１の外径寸法よりも小さく、該環状反射部材７１のテーパ面７３に係止可能である。凹部５４は、光源部４１の給電素子４４に対応する位置に照射面側に凸となるように形成される。凹部５４は、光源部４１を配置する際に給電素子４４と係合することができ、光源部４１を導光部材５１における適正な位置に位置決めすることができる。導光部材５１は、器具本体２１の下方の開口を閉塞して、ＬＥＤ素子４２に埃などが付着することを防止する役割も有している。
【００２５】
反射部材（第１反射部材）６１は、導光部材５１と対向する位置に配置され、ＬＥＤ素子４２から出射された光を反射する部材である。反射部材６１は、平面視略円形状でシート形状である。反射部材６１は、導光部材５１の取付面側に載置された状態で配置される。反射部材６１は、導光部材５１の取付面側（背面側）から出てきた光を導光部材５１の内部に向けて反射させる。反射部材６１は、ＬＥＤ素子４２から出射された光、及び導光部材５１の内壁面で反射された光を反射して照射面側に出射する。反射部材６１は、略円板状であり、切欠き部６２と、延出片６３を有している。切欠き部６２は、反射部材６１の外周縁において矩形状に切り欠かれた部分である。切欠き部６２は、光源部４１の給電素子４４が係合される部分である。延出片６３は、反射部材６１の外周縁において径方向に対向するともに、径方向外側に延出される一対の部分である。延出片６３・６３は、それぞれその先端が環状反射部材７１の取付面側の凹部７７・７７に係合するように配置されて位置決めされる。切欠き部６２に対して光源部４１の給電素子４４を係合するように光源部４１を配置することで、反射部材６１と光源部４１の位置決めをすることができる。このとき延出片６３・６３は、所定のＬＥＤ素子４２の間にそれぞれ配置されて、ＬＥＤ素子４２と重なることなく配置される。反射部材６１は、基板４３の照射面側の表面において円環状に実装された複数のＬＥＤ素子４２の径方向内側の領域に配置される。本実施形態では、反射部材６１は、その外周縁が複数のＬＥＤ素子４２に近接して配置されている。これにより、複数のＬＥＤ素子４２は、反射部材６１に覆われていない導光部材５１の外周縁部から内部に光を入射させることができる構成となっている。
【００２６】
なお、本実施形態では、反射部材６１は、基板４３と別体の部材として構成されているが、反射部材６１の代わりに、例えば、基板４３の照射面側の表面に、白色シールの貼り付けまたは白色塗装等を実行することで反射部を構成することもできる。
【００２７】
また、反射部材６１は、例えば外周縁部に照射面側に向けて突出する円柱状の凸部を設けて、導光部材５１に設けた凹部に係合可能となるように構成し、導光部材５１に対する反射部材６１の位置決めが容易にできるように構成してもよい。
【００２８】
環状反射部材(第２反射部材)７１は、導光部材５１の外周縁の外側に配置され、当該外周縁を囲う反射部材である。環状反射部材７１は、円環状で樹脂製の部材である。環状反射部材７１は、外枠部７２と、テーパ面７３と、切欠き部７４と、配線配置部７５と、切欠き部７６と、凹部７７とを有している。外枠部７２は、略円筒状の部分である。テーパ面７３は、環状反射部材７１の内周側に設けられ、内周側縁部から上方に向かうにつれて拡径する傾斜面である。テーパ面７３は、ＬＥＤ素子４２の下方に配置されている。テーパ面７３は、導光部材５１のテーパ部５２から出る光を反射させる反射面である。テーパ面７３には、導光部材５１のテーパ部５２が当接して配置される。切欠き部７４は、テーパ面７３の一部が矩形状に切り欠かれた部分であり、導光部材５１の凸部５３が係合する部分である。環状反射部材７１の高さ寸法は、導光部材５１の上面に反射部材６１を配置した状態の高さ寸法よりも大きくなるように構成されている。切欠き部７６は、外枠部７２の一部を切り欠いた部分である。切欠き部７６は、複数（本実施形態では３箇所）設けられ、器具本体２１の下端凸部２２ｃと係合することができる。下端凸部２２ｃと切欠き部７６を係合させることによって、環状反射部材７１を器具本体２１における所定の位置に配置することができる。凹部７７は、上述したように、反射部材６１の延出片６３の先端と係合する部分であり、反射部材６１を位置決めすることができる。なお、凹部７７は、必須の構成ではない。導光部材５１の取付面側の表面に白色シール等を貼り付けて反射部を形成した場合には不要となる。
【００２９】
環状反射部材７１は、照明器具１１を組み立てる際に、器具本体２１の内部の下端隅部に最初に組み付けられる部材である。まず、下端凸部２２ｃに対して切欠き部７６を係合させるように環状反射部材７１を器具本体２１に組み付ける。これにより、環状反射部材７１を器具本体２１における適切な位置に位置決めして配置することができる。器具本体２１に環状反射部材７１が組み付けられた状態において、テーパ面７３と器具本体２１の反射部２３ａは、導光部材５１の外周縁部の形状に対応した受け部を構成し、当該受け部に導光部材５１が嵌合される。これにより、導光部材５１を容易に適切な位置に位置決めして、配置することができる。凹部７７と延出片６３の先端を係合させるように反射部材６１を配置する。これにより、反射部材６１を容易に適切な位置に位置決めして配置することができる。
【００３０】
外枠部７２は、光源部４１の給電素子４４から延びる配線３７に対応する位置において矩形状の切欠きである配線配置部７５を有している。配線配置部７５は配線３７を配置するためのものである。この配線配置部７５を設けることにより、配線３７を光源セット部８１の取付面側（背面側）に延ばすことが容易となり、電源部３１に接続し易くなる。
【００３１】
また、本実施形態では、器具本体２１の内部に環状反射部材７１、導光部材５１、反射部材６１を順に組み付けた際に、導光部材５１の外周縁部の上部に断面視凹状で平面視円環状の素子収容部Ｓが形成される。素子収容部Ｓには、光源である複数のＬＥＤ素子４２が収容される。さらに、環状反射部材７１は導光部材５１の側面部の周囲を覆うとともに、反射部材６１は素子収容部Ｓを除く導光部材５１の上面を覆うように配置される。さらに、器具本体２１の反射部２３ａは、導光部材５１の照射面側において複数のＬＥＤ素子４２よりも径方向内側の領域を覆っている。このように構成することで、光源である複数のＬＥＤ素子４２と導光部材５１との間にほとんど距離（空間)を設けることなく、ＬＥＤ素子４２から出射される光を導光部材５１の内部の導くことができる。これにより、光源であるＬＥＤ素子４２、導光部材５１、反射部材６１及び環状反射部材７１の高さ寸法を抑えることができるため、ひいては照明器具１１の高さ寸法の増大化を防ぐことができる。また、このような構成によれば、導光部材５１の外周縁部である素子収容部Ｓのみから導光部材５１の内部にＬＥＤ素子４２から出る光を入射することができるため、入射光を効率的に導光可能となる。こうして、本実施形態の照明器具１１によれば、薄型でありながら均一性を高めた照明光を得ることができる。
【００３２】
光源セット部８１は、略円板状の金属製の部材である。光源セット部８１は、照射面側の略全面に亘って光源部４１と対向して光源部４１の高さ方向の位置を規制する面である光源配置面８２を有している。光源セット部８１には、光源配置面８２に光源部４１が配置され、取付面側に電源部３１及び端子台１００が配置される。光源配置面８２は、光源部４１から生じる熱を伝えるために、基板４３との接触面積を増やすために平らな表面を有するように形成されている。光源セット部８１は、取付面側に、カバー係止部８３、カバー取付部８４、端子台取付部８５、を有している。カバー係止部８３は、電源カバー３３の係止片３３ａが係止される部分である。係止片３３ａをカバー係止部８３に係止させることで、光源セット部８１における適切な位置に電源カバー３３を位置決めすることができる。カバー取付部８４は、光源セット部８１の外周縁からＬ字状に立設した部分の上面部分であり、ネジ孔が開口されている。端子台取付部８５は、端子台１００が取り付けられる部分である。
【００３３】
光源セット部８１の外周縁は、器具本体２１の円筒部２２の内周面の半径寸法と略同等の寸法である外側円弧部８６と、外側円弧部８６よりも小径で、光源セット部８１を器具本体２１の内部に収容する際に、対応する位置決め部２２ａ等を挿通可能に形成される切欠きである内側円弧部８７を有している。光源部４１及び電源部３１が取り付けられた光源セット部８１を器具本体２１に取り付ける際には、内側円弧部８７により位置決め部２２ａを通過させる。当該光源セット部８１を器具本体２１の底部に配置後、器具本体２１の周方向の一方側に所定長回動することで、外側円弧部８６が位置決め部２２ａの下方に配置される（図６参照）。具体的には、光源セット部８１のカバー取付部８４を器具本体２１のネジ固定部２４の位置まで周方向に回動させる。そうして、器具本体２１のネジ固定部２４に電源カバー３３のネジ取付部３３ｂと光源セット部８１のカバー取付部８４とを位置合わせした状態で、ネジ等の取付部材により共締めされる（図２参照）。このように、本実施形態では、器具本体２１に対して光源部４１と電源部３１を有する光源セット部８１を位置決めするともに、一つのネジ部材による固定だけで光源セット部８１を器具本体２１に安定して保持することができる。これにより、ネジ部材で固定する作業も少なく、光源セット部８１の器具本体２１への取付作業が容易となる。
【００３４】
取付部材９１は、照明器具１１を被取付部Ｃに取り付ける際に、図示しないネジ等の取付部材により被取付部Ｃにあらかじめ取り付けられる、略円板状で樹脂製の部材である。取付部材９１は、器具本体２１を支持する支持部材でもあり、スタットとも呼ばれる。取付部材９１は、取付板９２、周壁部９３、被係止部９４、弾性係合部９５等を有している。
【００３５】
取付板９２は、略円板状であり、取付部材９１を被取付部Ｃに取り付けた際に、被取付部Ｃに対向する部分である。取付板９２は、外部商用電源の電源電線（図示せず）を挿通するための貫通孔９２ａを有している。
周壁部９３は、取付板９２の外周縁から下方に延出される略円筒状の部分である。
【００３６】
被係止部９４は、取付部材９１の外周縁部に設けられている。被係止部９４は、周壁部９３の周方向の複数箇所（本実施形態では、３箇所）に設けられている。被係止部９４は、切欠き部９４ａと、切欠き部９４ａの周方向の一端部に隣接する案内部９４ｂと、を有している。切欠き部９４ａは、周壁部９３において側面視矩形状に切り欠いた部分であり、周方向の長さ寸法が器具本体２１の係止部２２ｂの周方向の長さ寸法よりも大きくなるように形成されている。これにより、器具本体２１を取付部材９１に取り付ける際、切欠き部９４ａに器具本体２１の係止部２２ｂを係合させることで器具本体２１を位置決めすることができる。案内部９４ｂは、周壁部９３の外周面よりも径方向内側に配置される、短冊状の段差部分である。案内部９４ｂは、器具本体２１を取付部材９１に取り付ける際に器具本体２１を回動する方向に向かうにつれて被取付部Ｃ側（上方）に向かうように傾斜するテーパ面９４ｃを有している。テーパ面９４ｃは、湾曲状の面である。案内部９４ｂは、器具本体２１を取付部材９１に取り付けるために周方向に回動した際に、器具本体２１の係止部２２ｂを所定の高さ位置（係止位置）まで案内するためのものである。このように案内部９４ｂを構成することで、テーパ面９４ｃの先端側（切欠き部９４ａ側）が終端側よりも下方に下がっているため、器具本体２１の係止部２２ｂを案内部９４ｂの終端側に係止する際に係止しやすく、かつ器具本体２１を回動するだけで係止部２２ｂを所定の高さ位置（係止位置）まで案内することができる（図８Ａ参照）。
【００３７】
また、係止部２２ｂを案内部９４ｂにより所定の高さ位置（係止位置）まで移動した際、案内部９４ｂの下端部は、位置決め部２２ａの上端部に乗り上げるようにして位置決めされるため、取付部材９１に対して器具本体２１をガタツキ無く取り付けることができる（図８Ｂ参照）。
なお、本実施形態のテーパ面９４ｃは、湾曲面で構成されているが、湾曲面の代わりに、例えば平坦面又は途中部が屈曲した屈曲面であってもよい。
【００３８】
また、案内部９４ｂは、周方向において切欠き部９４ａに隣接する先端部９４ｄが角面取り加工されている（図６参照）。これにより、当該先端部９４ｄが角部の場合と比べて、器具本体２１を取り付ける際に、器具本体２１の係止部２２ｂがぶつかって、引っ掛かることを抑えることができる。
【００３９】
弾性係合部９５は、平面視略Ｕ字形状のバネ部９６と、バネ部９６を保持するバネ保持部９７とを有している。バネ部９６は、先端部９６ａと、延長部９６ｂ・９６ｂと、基端部９６ｃ・９６ｃとを有する。先端部９６ａは、半円周形状の曲面で形成されている。先端部９６ａは、バネ部９６において径方向外側に突出している部分である。延長部９６ｂ・９６ｂは、先端部９６ａの両端からそれぞれ直線状に延びるように形成されている。基端部９６ｃ・９６ｃは、延長部９６ｂの先端部９６ａとは反対側の端部から略垂直に外側に向かうように折り曲げられてそれぞれ形成されている。バネ保持部９７は、基部９７ａと、第１凸部９７ｂ・９７ｂと、第２凸部９７ｃとを有する。基部９７ａは、取付部材９１の取付板９２の外周側の位置において下方に突出する部分である。基部９７ａは、バネ部９６の高さ方向の位置を位置決めする。第１凸部９７ｂ・９７ｂおよび第２凸部９７ｃは、基部９７ａから下方に突出する部分である。第１凸部９７ｂ・９７ｂおよび第２凸部９７ｃは、バネ部９６の変形を規制する部分である。第１凸部９７ｂ・９７ｂは、略矩形形状に形成され、バネ部９６の延長部９６ｂ・９６ｂの外側にそれぞれ配置される。第２凸部９７ｃは、平面視でハット型に形成され、外周方向に突出する台形形状を有する。第２凸部９７ｃの台形形状部分は、上底の寸法がバネ部９６の延長部９６ｂ・９６ｂ同士の距離よりも小さく、下底の寸法が延長部９６ｂ・９６ｂ同士の距離よりも大きくなるように形成されている。第２凸部９７ｃは、バネ部９６の基端部９６ｃ・９６ｃの間に配置される。弾性係合部９５は、バネ部９６が径方向外側に向けて押圧力が働くようにバネ保持部９７に保持されている。詳細は後述するが、弾性係合部９５は、バネ部９６の径方向外側の先端部９６ａが器具本体２１の突条部２２ｄに接触した際に掛かる径方向内側に向かう力に応じて出没可能に構成されている。
【００４０】
上述したように取付部材９１には、器具本体２１の係止部２２ｂを係止するために被係止部９４が設けられている。器具本体２１を取付部材９１に取り付ける場合、作業者は器具本体２１を手で把持した状態で、係止部２２ｂを被係止部９４の切欠き部９４ａに挿入し、この状態のまま器具本体２１を周方向の一方に回動する。この回動の際には係止部２２ｂが案内部９４ｂにより係止位置（係止部２２ｂの回動方向の終端位置）まで案内されるとともに案内部９４ｂの下端部が位置決め部２２ａの上端に乗り上げる。同時に、この回動の際には、取付部材９１に設けられた弾性係合部９５が器具本体２１の内周面を押圧しながら周方向に移動する。その際に突条部２２ｄに差し掛かると、先ず当該突条部２２ｄの緩やかな斜面である第１傾斜面２２ｄ１に沿って弾性係合部９５のバネ部９６の先端部９６ａが径方向内側に移動する。このとき、延長部９６ｂと基端部９６ｃは、第１凸部９７ｂと第２凸部９７ｃとに規制されて、バネ部９６は延長部９６ｂと基端部９６ｃが外側に広がるように変形する。さらに回動すると、当該バネ部９６が突条部２２ｄの頂部を乗り越えて第２傾斜面２２ｄ２に至ると、バネ部９６の復元力によりバネ部９６は元の形状に戻り、先端部９６ａは元の位置に戻る。これにより、器具本体２１が取付部材９１に対して回転しないようにする回転止めとなる（本実施形態では、突条部２２ｄが二つ設けられるため、この過程が２回繰り返される）。ここで、突条部２２ｄを平面視で見てみると、一方（取り外し時の回動方向側）の第１傾斜面２２ｄ１よりも他方（取り付け時の回動方向側）の第２傾斜面２２ｄ２を急峻となるように構成することで、器具本体２１が取り外し方向に回動してもバネ部９６が突条部２２ｄを乗り越えにくい構造となっている。このため、振動等により不意に器具本体２１が取付部材９１から外れることを防止することができる。
【００４１】
器具本体２１を取付部材９１に取り付ける際の器具本体２１の回動時において、バネ部９６の先端部９６ａが突条部２２ｄ・２２ｄに当接しながら乗り越える際には２回先端部９６ａの係合音が発生する。これにより、器具本体２１が取付部材９１に確実に取付けられたことを作業者は知覚することができる。一方、器具本体２１を外すための回動時には、バネ部９６の先端部９６ａが突条部２２ｄ・２２ｄに当接しながら乗り越える際には２回先端部９６ａの係合解除音が発生する。これにより、器具本体２１が取付部材９１から確実に取り外されたことを作業者は知覚することができる。また、器具本体２１を取付部材９１から取り外す場合は、取付部材９１に対して器具本体２１を上記回動方向とは反対方向に回動することで容易に取り外すことができる。
【００４２】
このように係止部２２ｂを被係止部９４に係止することで、器具本体２１は取付部材９１に取り付けられる。また、器具本体２１が取付部材９１に取り付けられた状態で器具本体２１を周方向の他方に回動させると、器具本体２１の係止部２２ｂが取付部材９１の被係止部９４から外れて、器具本体２１を取付部材９１から取り外すことができる。
【００４３】
以上説明した本実施形態に係る照明器具１１によれば、光源部４１の複数のＬＥＤ素子４２は、導光部材５１の外周端近傍に対向して配置され、導光部材５１と対向する位置にＬＥＤ素子４２から出射された光を反射する反射部材６１を有している。これにより、反射部材６１は、導光部材５１の取付面側（背面側）から出てきた光を導光部材５１の内部に向けて反射させる。反射部材６１は、ＬＥＤ素子４２から出射された光、及び導光部材５１の内壁面で反射された光を反射して照射面側に出射することができる。また、反射部材６１は、ＬＥＤ素子４２の基板４３からの高さ寸法に対して同じもしくはやや低くなるように構成されている。これにより、嵩が高くない反射部材を構成することができる。ひいては、光源としてＬＥＤ素子４２を有し、かつ薄型の均一性を高めた照明光を得られる照明器具を提供することができる。特に電源部３１を収容した照明器具において、広い照射面を確保したまま薄型化を実現することができる。また、照明器具１１を取り付ける際に、外部商用電源と接続させるためのスペースを広く確保することができ、照明器具１１の取付作業がしやすくなる。
【００４４】
また、本実施形態の照明器具１１では、導光部材５１の外周縁の外側に当該外周縁を囲う環状反射部材７１をさらに有している。これにより、上記反射部材６１は主に導光部材５１の上面から出る光を反射するとともに、環状反射部材７１は導光部材５１の側方から出る光を確実に反射することができるため、より均一性を高めた照明光を得ることができる。
また、本実施形態の照明器具１１では、環状反射部材７１の高さ寸法は、ＬＥＤ素子４２の高さ寸法と環状反射部材７１の高さ寸法とを足した寸法と略同等になるように構成されている。このように構成することで、照明器具１１を上下方向に大型化させることなく照明器具１１の小型化が図れる。すなわち、薄型の照明器具を実現することができる。
【００４５】
また、本実施形態の照明器具１１では、器具本体２１は、導光部材５１の照射面側と対向するとともに、平面視においてＬＥＤ素子４２と重なる反射部２３ａをさらに有している。このように、反射部２３ａは、ＬＥＤ素子４２の少なくとも一部と重なるように配置されることで、ＬＥＤ素子４２が発する光の直接光を遮るため、ユーザーの目に直接ＬＥＤ素子４２が発する光が達することを抑えることできる。これにより、照明光のムラを抑えるとともに、グレアを軽減した照明光を得ることができる。
【００４６】
また、本実施形態の照明器具１１では、器具本体２１は、器具本体２１内での光源セット部８１の高さ方向の位置決めをする位置決め部２２ａをさらに有している。これにより、光源セット部８１を器具本体２１内の所望の位置に位置決めして、保持することができる。
【００４７】
また、本実施形態の照明器具１１では、取付部材９１に対して器具本体２１を回動させることで、器具本体２１の係止部２２ｂが取付部材９１の被係止部９４（案内部９４ｂ）に案内されるとともに係止される。さらに、取付部材９１に対して器具本体２１を回動させることで、バネ部９６の先端部９６ａが突条部２２ｄ・２２ｄに当接しながら乗り越える。これにより、被取付部Ｃに固定された取付部材９１に器具本体２１をネジ止め作業を必要とせずに取り付けることができる。すなわち、照明器具１１を被取付部Ｃに取り付ける際に、ネジ止め作業が少なく、取付作業を容易に行うことができる。また、バネ部９６を突条部２２ｄ・２２ｄを乗り越えさせることで、器具本体２１の回転止めとなり、器具本体２１が取付部材９１から脱落することを防止する。また、本実施形態の照明器具１１のように、突条部２２ｄを複数設けた場合は、器具本体２１の脱落を更に防止することができる。
【００４８】
また、本実施形態の照明器具１１では、突条部２２ｄは、被取付部Ｃに平行な断面において器具本体２１を回動させる方向に向かうにつれて器具本体２１（円筒部２２）の内周面から器具本体２１の径方向内側に向かうように傾斜する傾斜面である第１傾斜面２２ｄ１を有している。これにより、器具本体２１の取付時にバネ部９６の先端部９６ａが突条部２２ｄを乗り越えやすく、器具本体２１を取付けしやすい。一方、上述したように第１傾斜面２２ｄ１に隣接して第１傾斜面２２ｄ１より傾斜している第２傾斜面２２ｄ２を有している。これにより、器具本体２１の取り外しの際に回動方向の逆方向に器具本体２１を回動する場合は、突条部２２ｄを乗り越えにくいため、不意に器具本体２１が取付部材９１から脱落することを防止することができる。
【００４９】
また、本実施形態の照明器具１１では、取付部材９１の被係止部９４の先端部９４ｄが平面視で角取りされている。これにより、器具本体２１を取付部材９１に取り付ける際に、器具本体２１の係止部２２ｂの先端と先端部９４ｄとが接触しにくくなり、取付作業がしやすい。
【符号の説明】
【００５０】
１１    照明器具
２１    器具本体
２２ａ  位置決め部
２２ｂ  係止部
２２ｄ  突条部
２２ｄ１  第１傾斜面
２３ａ  反射部
３１    電源部
４１    光源部
４２    ＬＥＤ素子
５１    導光部材
６１    反射部材（第１反射部材）
７１    環状反射部材（第２反射部材）
８１    光源セット部
９１    取付部材
９４    被係止部
９４ｂ  案内部
９４ｃ  テーパ面（傾斜面）
９４ｄ  先端部
９６    バネ部
９６ａ  先端部（突出部）
Ｃ      被取付部
【図１】
2020187829.tif 000003
【図２】
2020187829.tif 000004
【図３】
2020187829.tif 000005
【図４】
2020187829.tif 000006
【図５】
2020187829.tif 000007
【図６】
2020187829.tif 000008
【図７】
2020187829.tif 000009
【図８】
2020187829.tif 000010